(57)【要約】【課題】  簡単な操作にも拘わらず姿態の異なる別な態様を構成することのできる人形体を提供する。【解決手段】  頭部と、胴部と、関節部を有する複数の肢体と、を有する人形体であって、前記各肢体は、前記肢体の長さを調節する長さ調節部を有する。前記長さ調節部は、前記関節部において、分割された一方の肢体と他方の肢体との分割部に形成され、前記一方の肢体に設けた軸体が他方の肢体の長手方向に延在して形成された長孔に挿入されることによって構成される。また、前記長さ調節部は、分割された一方の肢体と他方の肢体との分割部に形成され、前記一方の肢体の端面に設けた棒体が前記他方の肢体の端面に形成された孔に挿入されることによって構成される。【選択図】図８
2014161453.tif 000002
【特許請求の範囲】
【請求項１】
頭部と、胴部と、関節部を有する複数の肢体と、を有する人形体であって、
前記各肢体は、前記肢体の長さを調節する長さ調節部を有する人形体。
【請求項２】
請求項１において、
前記関節部は、分割された一方の肢体と他方の肢体との分割部に形成され、前記一方の肢体に設けた軸体と、他方の肢体に形成され前記軸体が挿入される孔とで構成され、
前記長さ調節部は、前記関節部の前記孔を肢体の長手方向に延在させた長孔として形成することによって構成する人形体。
【請求項３】
請求項１において、
前記長さ調節部は、分割された一方の肢体と他方の肢体との分割部に形成され、
前記一方の肢体の端面に設けた棒体と、前記他方の肢体の端面に形成され前記棒体を挿入可能な開口部とを有する人形体。
【請求項４】
請求項１において、
前記胴部と前記頭部との間隔を調節できる間隔調節部を有し、
前記間隔調節部は、前記胴部と前記頭部のうちの一方に設けた棒体と、前記胴部と前記頭部のうちの他方に形成され前記棒体を挿入可能な開口部とを備える人形体。
【請求項５】
請求項１において、
前記胴部は、胴部本体と腰部とで構成され、
前記胴部本体と前記腰部との間隔を調節できる間隔調節部を有し、
前記間隔調節部は、前記胴部本体と前記腰部のうちの一方に設けた棒体と、前記胴部本体と前記腰部のうちの他方に形成され前記棒体を挿入可能な開口部とを備える人形体。
【請求項６】
請求項１において、
前記胴部に対して回動可能に取り付けられた肩部材を有し、
前記肩部材は、前記肩部材を前方に回動したとき、前記胴部の側面を取り囲むことが可能な曲部を有する人形体。
【請求項７】
請求項１において、
前記長さ調節部によって調節された前記肢体の長さに対応する代替肢体が前記肢体を被って取り付けられている人形体。
【請求項８】
請求項４において、
前記間隔調節部によって調節された前記胴部と前記頭部との間隔に対応する代替胴部および代替頭部の少なくとも一方が前記胴部あるいは前記頭部を被って取り付けられている人形体。
【請求項９】
請求項５において、
前記間隔調節部によって調節された前記胴部本体と前記腰部との間隔に対応する代替胴部本体および代替腰部の少なくとも一方が前記胴部本体あるいは前記腰部を被って取り付けられている人形体。
【発明の詳細な説明】
【技術分野】
【０００１】
本発明は人形体に係り、特に、姿態が変化し得る人形体に関する。
【背景技術】
【０００２】
人形体からなる玩具において、意外性のある変化に富んだ玩具について種々考案されている。
【０００３】
たとえば、人形体に操作部が設けられ、この操作部による第１の操作で、解除手段が第１の保持手段と他の保持手段の解除を異なる時期に実行し、また、前記操作部による第２の操作で、第１の保持手段と他の保持手段の解除をほぼ同時に実行する機構を備えたものが開示されている（下記特許文献１参照）。
【０００４】
これにより、操作部による操作によって、人形体に異なる変化を起こさせ、意外性のある玩具を得ることができる。
【先行技術文献】
【特許文献】
【０００５】
【特許文献１】特開２０１２−１１５５０４号公報
【発明の概要】
【発明が解決しようとする課題】
【０００６】
上述した人形体は、上述したように、人形体に、操作部、保持手段、および解除手段等を組み込む必要があり、構成が極めて複雑化するというものである。
【０００７】
しかし、一方において、簡単な操作によって姿態が変化できる人形体を構成できることにより、手軽に人形体の意外性を楽しむことができることが要望される。
【０００８】
本発明は、このような事情に鑑みてなされたものであり、その目的は、簡単な操作にも拘わらず姿態の異なる別な態様を構成できる人形体を提供する。
【課題を解決するための手段】
【０００９】
本発明の人形体は、頭部と、胴部と、関節部を有する複数の肢体と、を有する人形体であって、前記各肢体は、前記肢体の長さを調節する長さ調節部を有する。
【００１０】
本発明の人形体において、前記関節部は、分割された一方の肢体と他方の肢体との分割部に形成され、前記一方の肢体に設けた軸体と、他方の肢体に形成され前記軸体が挿入される孔とで構成され、前記長さ調節部は、前記関節部の前記孔を肢体の長手方向に延在させた長孔として形成することによって構成することが好ましい。また、本発明の人形体において、前記長さ調節部は、分割された一方の肢体と他方の肢体との分割部に形成され、前記一方の肢体の端面に設けた棒体と、前記他方の肢体の端面に形成され前記棒体を挿入可能な開口部とを有することが好ましい。
【００１１】
本発明の人形体において、前記胴部と前記頭部との間隔を調節できる間隔調節部を有し、前記間隔調節部は、前記胴部と前記頭部のうちの一方に設けた棒体と、前記胴部と前記頭部のうちの他方に形成され前記棒体を挿入可能な開口部とを備えることが好ましい。
【００１２】
また、本発明の人形体において、前記胴部は、胴部本体と腰部とで構成され、前記胴部本体と前記腰部との間隔を調節できる間隔調節部を有し、前記間隔調節部は、前記胴部本体と前記腰部のうちの一方に設けた棒体と、前記胴部本体と前記腰部のうちの他方に形成され前記棒体を挿入可能な開口部とを備えることが好ましい。
【００１３】
本発明の人形体において、前記胴部に対して回動可能に取り付けられた肩部材を有し、前記肩部材は、前記肩部材を前方に回動したとき、前記胴部の側面を取り囲むことが可能な曲部を有することが好ましい。
【００１４】
本発明の人形体において、前記長さ調節部によって調節された前記肢体の長さに対応する代替肢体が前記肢体を被って取り付けられていることが好ましい。本発明の人形体において、前記間隔調節部によって調節された前記胴部と前記頭部との間隔に対応する代替胴部および代替頭部の少なくとも一方が前記胴部あるいは前記頭部を被って取り付けられていることが好ましい。本発明の人形体において、前記間隔調節部によって調節された前記胴部本体と前記腰部との間隔に対応する代替胴部本体および代替腰部の少なくとも一方が前記胴部本体あるいは前記腰部を被って取り付けられていることが好ましい。
【発明の効果】
【００１５】
このように構成した人形体によれば、簡単な操作にも拘わらず姿態の異なる別な態様を構成することができる。
【図面の簡単な説明】
【００１６】
【図１】本発明の人形体の第１姿態を示す全体図である。
【図２】本発明の人形体の頭部の胴部に対する取り付けの構成を示した図である。
【図３】本発明の人形体の腰部の胴部本体に対する取り付けの構成を示した図である。
【図４】本発明の人形体の腰部に取り付けた脚部の構成を示した図である。
【図５】本発明の人形体の関節部に用いられる部材の説明図である。
【図６】本発明の人形体の肩部に取り付けられる左側の腕部および右側の腕部の構成図である。
【図７】本発明の人形体が腕組みをした状態を示す全体図である。
【図８】本発明の人形体に代替頭部等を取り付けて別な人形体を構成する説明図である。
【図９】図８に示す方法で形成した別な人形体を示す図である。
【図１０】図９に示した人形体において代替頭部等を透視させて示した図である。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
（実施形態１）
図１は、本発明の人形体の第１姿態を示す全体図である。人形体１は、たとえば人間の姿に似せて形成されている。人形体１は、たとえば合成樹脂の材料から構成されている。
【００１８】
図１に示すように、人形体１は胴部１０を備え、この胴部１０には頭部２０、左側の腕部（肢体）３０、右側の腕部（肢体）４０が取り付けられている。また、胴部１０は、胴部本体１０Ａと腰部１０Ｂとで構成され、腰部１０Ｂには、左側の脚部（肢体）５０、右側の脚部（肢体）６０が取り付けられている。
【００１９】
左側の腕部３０は、胴部１０の上部の肩７０側から、上腕部３０Ａ、下腕部３０Ｂ、および手部３０Ｃが順次連結されて構成され、右側の腕部４０は、肩７０側から、上腕部４０Ａ、下腕部４０Ｂ、および手部４０Ｃが順次連結されて構成されている。
【００２０】
なお、図１では、前記手部３０Ｃ、４０Ｃは棒体として示しているが、たとえば図６に示すように、必要に応じて該棒体に手の形をした部材が嵌め込まれるようになっている。
【００２１】
左側の脚部５０は、腰部１０Ｂ側から、上腿部５０Ａ、下腿部５０Ｂ、および足部５０Ｃが順次連結されて構成され、右側の脚部６０は、腰部１０Ｂ側から、上腿部６０Ａ、下腿部６０Ｂ、および足部６０Ｃが順次連結されて構成されている。
【００２２】
図２（ａ）、（ｂ）は、頭部２０の胴部１０に対する取り付けの構成を示した図である。頭部２０と胴部１０の間には間隔調節部８０を有し、この間隔調節部８０は、胴部１０から突出して形成された棒体１０Ｐと、頭部２０に形成され該棒体１０Ｐを挿入させる孔２０Ｈとで構成されている。棒体１０Ｐは比較的長く形成され、孔２０Ｈは比較的深く形成されている。また、孔２０Ｈに挿入される棒体１０Ｐは、該孔２０Ｈに挿入された状態で若干の摩擦を有して軸方向に移動できるようになっている。これにより、図２（ａ）、（ｂ）に示すように、頭部２０は、胴部１０に対してそれらの間隔を調整して配置させることができるようになっている。また、頭部２０は胴体１０に対して棒体１０Ｐを中心として図中矢印方向に回動できるようになっている。
【００２３】
なお、図２（ａ）（ｂ）では、胴部１０に棒体１０Ｐを、頭部２０に孔２０Ｈを設けるようにしたものであるが、これに限定されることはなく、胴部１０に孔２０Ｈを、頭部２０に棒体１０Ｐを設けるにようにしてもよい。同様の効果が得られるからである。
【００２４】
図３（ａ）、（ｂ）は、腰部１０Ｂの胴部本体１０Ａに対する取り付けの構成を示した図である。胴部本体１０Ａと腰部１０Ｂの間には間隔調節部８１を有し、この間隔調節部８１は、腰部１０Ｂから突出して形成された棒体１０ＢＰと、胴部本体１０Ａに形成され該棒体１０ＢＰを挿入させる孔１０ＡＨとで構成されている。棒体１０ＢＰは比較的長く形成され、孔１０ＡＨは比較的深く形成されている。また、孔１０ＡＨに挿入される棒体１０ＢＰは、該孔１０ＡＨに挿入された状態で若干の摩擦を有して軸方向に移動できるようになっている。これにより、図３（ａ）、（ｂ）に示すように、腰部１０Ｂは、胴部本体１０Ａに対してそれらの間隔を調整して配置させることができるようになっている。また、腰部１０Ｂは胴部本体１０Ａに対して棒体１０ＢＰを中心として図中矢印方向に回動できるようになっている。
【００２５】
なお、図３（ａ）（ｂ）では、腰部１０Ｂに棒体１０ＢＰを、胴部本体１０Ａに孔１０ＡＨを設けるようにしたものであるが、これに限定されることはなく、腰部１０Ｂに孔１０ＡＨを、胴部本体１０Ａに棒体１０ＢＰを設けるにようにしてもよい。
【００２６】
図４（ａ）、（ｂ）、（ｃ）は、腰部１０Ｂに取り付けた脚部５０の構成を示した図である。なお、図４（ａ）、（ｂ）、（ｃ）では、左側の脚部５０を示しているが、右側の脚部６０（図１参照）においても同様の構成となっている。図４（ａ）において、腰部１０Ｂには、人形体１（図１参照）の左右に延在する軸体９０（図３参照）が形成され、この軸体９０の一端が挿入される上腿部５０Ａを有する。この上腿部５０Ａは、腰部１０Ｂに対して軸体９０を中心に前後方向に揺動できるようなっている。
【００２７】
また、上腿部５０Ａは、長さ調節部８５が形成され、長さ調節部８５は、その箇所で分割された一方の上腿部の端面に設けた棒体５０ＡＰが他方の上腿部の端面に形成された孔５０ＡＨに挿入されることによって構成されている。棒体５０ＡＰは比較的長く形成され、孔５０ＡＨは比較的深く形成されている。また、孔５０ＡＨに挿入される棒体５０ＡＰは、該孔５０ＡＨに挿入された状態で若干の摩擦を有して軸方向に移動できるようになっている。これにより、上腿部５０Ａは、図４（ｂ）に示すように、その長さを図中矢印方向に調節できるようになっている。
【００２８】
なお、上腿部５０Ａは、図４（ａ）に示すように、長さ調節部８５の箇所において、棒体５０ＡＰを中心として図中矢印方向に回動できるようになっている。
【００２９】
また、上腿部５０Ａと下腿部５０Ｂとの間に関節部７５を有し、この関節部７５において、長さ調節部８６を備えた構成となっている。すなわち、上腿部５０Ａの下端部には、図５（ａ）、（ｂ）に示すように、上腿部５０Ａに軸体９１によって軸支された長孔板７５Ａを有する。長孔板７５Ａは、上腿部５０Ａに対して人形体１の前後方向に揺動できるように軸支され、脚部５０の長手方向に延在する長孔７５Ｈが設けられている。なお、図５（ａ）は平面図を、図５（ｂ）は側面図である。また、図４（ａ）に戻り、下腿部５０Ｂの上端部には、軸体９２が長孔板７５Ａの長孔７５Ｈに挿入された状態で形成されている。これにより、関節部７５は、下腿部５０Ｂが上腿部５０Ａに対して軸体９１あるいは９２を中心として揺動できるようになっている。そして、このように構成された関節部７５は、長さ調節部８６を兼ね、図４（ｃ）に示すように、軸体92が長孔75Hに沿って摺動することにより、長孔板７５Ａの長孔７５Ｈの長さに応じて、図中矢印方向に上腿部５０Ａと下腿部５０Ｂの間隔を、すなわち、脚部５０の長さを調節できるようになっている。
【００３０】
また、足部５０Ｃは下腿部５０Ｂの下端において人形体１の左右に延在する軸体９３を中心に回動できるようにして取り付けられている。
【００３１】
図６（ａ）、（ｂ）は、胴部１０の肩部７０に取り付けられた左側の腕部３０および右側の腕部４０を示した図である。図６（ａ）は、胴部１０を上面から観た図（頭部２０は省略）、図６（ｂ）は、胴部１０を正面から観た図（頭部２０は省略）である。
【００３２】
図６（ａ）、（ｂ）において、左側の腕部３０および右側の腕部４０はいずれも同様の構成となっている。ここでは、たとえば右側の腕部４０の説明をする。
【００３３】
まず、胴部１０の上部には前方側に凹となる湾曲部を有する肩部７０が取り付けられている。肩部７０の胴部１０への取り付けは、肩部７０の先端に設けられた球体７０Ａが胴体１０によって内包されることにより、肩部７０の胴部１０に対する揺動的な動きを可能にしている。
【００３４】
肩部７０の胴体１０と反対側の他端には上腕部４０Ａが連結されている。肩部７０の他端には円柱体４１がその軸周りに回転できるように取り付けられ、上腕部４０の一端には円柱体４１の側面を挟持するようにコ字状体４２が形成されている。円柱体４１の対向する側面にはそれぞれ突起４３が形成され、これら突起４３はコ字状体４２の対向する各片に形成された孔４４に挿入されている。これにより、上腕部４０Ａは肩部７０に対して軸方向の周り（図中矢印方向）に回転できるようになっている。なお、図中右側の上腕部４０と左側の上腕部３０は、それぞれ、肩部７０に対して９０°の角度差を有して回転されている状態を示している。
【００３５】
また、上腕部４０Ａには、長さ調節部８７が形成され、長さ調節部８７は、その箇所で分割された一方の上腕部の端面に設けた棒体４０ＡＰが他方の上腕部の端面に形成された孔４０ＡＨに挿入されることによって構成されている。棒体４０ＡＰは比較的長く形成され、孔４０ＡＨは比較的深く形成されている。また、孔４０ＡＨに挿入される棒体４０ＡＰは、該孔４０ＡＨに挿入された状態で若干の摩擦を有して軸方向に移動できるようになっている。これにより、上腕部４０Ａは、その長さを調節できるようになっている。
【００３６】
上腕部４０Ａと下腕部４０Ｂの間の関節部７６は、上腕部４０Ａの下端に形成されたコ字状体７７に下腕部４０Ｂの上端に形成された板体７８が、該コ字状体７７および板体７８を貫通する軸体７９によって連結されることによって構成されている。
【００３７】
このように構成された左側の腕部３０および右側の腕部４０は、それらが取り付けられる肩部７０において、人形体１の前方側に凹となる湾曲部を有するように構成したことから、胴部１０の前方に近接させて配置させることが容易になる。なお、肩部７０の形状は、肩部７０を前方に回動させたときに胴部１０の側部を取り囲むことが可能なように曲部を有する形状であれば特に限定されるものではない。例えば、弓形のような湾曲した形状や、くの字状に屈曲した形状であってもよい。このような形状を有することにより、たとえば、図７に示すように、左側の腕部３０および右側の腕部４０を互いに腕組みさせるようにして配置させることができるようになる。
【００３８】
なお、図６（ａ）、（ｂ）から明らかなように、頭部２０（図２参照）を支持する棒体１０Ｐは、胴部１０に形成された凹部１０Ｑ内に配置され、人形体１の左右方向に支軸１２を有する円柱体１１の側面の中央に植設されている。これにより、頭部２０は支軸１２を中心にして前後方向に傾くように回動させることができるようになる。
【００３９】
このように構成された人形体１は、左側の脚部５０、右側の脚部６０、左側の腕部３０、右側の腕部４０の各肢体において、それら肢体に形成された長さ調節部８５、８６、８７によって、それらの長さを調節することができるようになる。また、胴部１０と頭部２０の間に形成した間隔調節部８０によって、胴部１０と頭部２０の間隔を調節することができるようになる。さらに、胴部本体１０Ａと腰部１０Ｂの間に形成した間隔調節部８１によって、胴部本体１０Ａと腰部１０Ｂの間隔を調節することができるようになる。
【００４０】
このため、人形体１において、各肢体の長さ、胴部１０と頭部２０の間隔、胴部本体１０Ａと腰部１０Ｂの間隔を変えることができ、人形体１の全体の姿態の変化を楽しむことができる効果を奏するようになる。
（実施形態２）
図８は、本発明の人形体の実施形態２を示す構成図である。
【００４１】
図８において、人形体１は、図１に示した人形体１と同様の構成となっている。この場合、人形体１は、たとえば、左側の脚部５０、右側の脚部６０、左側の腕部３０、右側の腕部４０の各肢体において、それら肢体に形成された長さ調節部８５、８６、８７によって、それらの長さが最大となっているとする。そして、胴部１０と頭部２０の間に形成した間隔調節部８０によって、たとえば、胴部１０と頭部２０の間隔が最大となっているとする。さらに、胴部本体１０Ａと腰部１０Ｂの間に形成した間隔調節部８１によって、たとえば、胴部本体１０Ａと腰部１０Ｂの間隔が最大となっているとする。
【００４２】
そして、人形体１の頭部２０には、予め用意された代替頭部２０’が該頭部２０を被って取り付けられるようになっている。代替頭部２０’は、たとえば、前方と後方とに分割された２つの部材Ａ、Ｂから構成され、これら部材Ａ、Ｂを頭部２０の前方および後方から宛がうことによって該頭部２０に代替頭部２０’が取り付けられるようになっている。
なお、代替頭部２０’の各部材Ａ、Ｂは、それぞれ、頭部２０に嵌合される構成であっても、各部材Ａ、Ｂ同士が係合するような構成であってもよい。この場合、上述したように、胴部１０と頭部２０の間隔が最大となっていることから、代替頭部２０’は頭部２０を被って該頭部２０に取り付けることができるようになる。
【００４３】
同様に、人形体１の胴部本体１０Ａには、予め用意された代替胴部本体１０Ａ’が該胴部本体１０Ａを被って取り付けられるようになっている。代替胴部本体１０Ａ’は、たとえば、前方で２つの部材Ａ、Ｂ、後方で２つの部材Ｃ、Ｄで構成され、これら部材Ａ、Ｂ、Ｃ、Ｄを胴部本体１０Ａの前方および後方から宛がうことによって該胴部本体１０Ａに代替胴部本体１０Ａ’が取り付けられるようになっている。なお、代替胴部本体１０Ａ’の各部材Ａ、Ｂ、Ｃ、Ｄは、それぞれ、代替胴部本体１０Ａ’に嵌合される構成であっても、各部材同士Ａ、Ｂ、Ｃ、Ｄが係合するような構成であってもよい。この場合、上述したように、胴部１０と頭部２０の間隔、また胴部本体１０Ａと腰部１０Ｂの間隔が最大となっていることから、代替胴部本体１０Ａ’は胴部本体１０Ａを被って該胴部本体１０Ａに取り付けることができるようになる。
【００４４】
同様に、人形体１の腰部１０Ｂには、予め用意された代替腰部１０Ｂ’が該腰部１０Ｂを被って取り付けられるようになっている。代替腰部１０Ｂ’は、たとえば、前方と後方とに分割された２つの部材Ａ、Ｂから構成され、これら部材Ａ、Ｂを腰部１０Ｂの前方および後方から宛がうことによって該腰部１０Ｂに代替腰部１０Ｂ’が取り付けられるようになっている。代替腰部１０Ｂ’の各部材Ａ、Ｂは、それぞれ、腰部１０Ｂに嵌合される構成であっても、各部材Ａ、Ｂ同士が係合するような構成であってもよい。この場合、上述したように、胴部本体１０Ａと腰部１０Ｂの間隔が最大となっていることから、代替腰部１０Ｂ’は腰部１０Ｂを被って該腰部１０Ｂに取り付けることができるようになる。
【００４５】
さらに、たとえば、右側の脚部６０には、予め用意された代替脚部６０’が該脚部６０を被って取り付けられるようになっている。代替脚部６０’は、たとえば、上腿部６０Ａを側面から宛がう１つの部材Ａ、下腿部６０Ｂを前方および後方からそれぞれ宛がう２つの部材Ｂ、Ｃによって構成されている。代替脚部６０’の各部材Ａ、Ｂ、Ｃは、それぞれ、脚部６０に嵌合される構成であっても、各部材Ａ、Ｂ、Ｃ同士が係合するような構成であってもよい。この場合、上述したように、脚部６０の長さが最大となっており、代替脚部６０’は該脚部６０の長さに応じて該脚部６０に取り付けることができるようになる。
【００４６】
なお、図８では、左側の脚部５０、左側の腕部３０、および右側の腕部４０におけるそれぞれの代替脚部、代替腕部を省略して示したものであるが、右側の脚部６０と同様に、上述した代替脚部、および代替腕部が取り付けられているものとする。
【００４７】
このように構成された人形体１は、たとえば図９に示すように、図１に示した人形体１と比べて全く姿態の異なる第２姿態の人形体２を構成することができるようになる。図１０は、人形体１と人形体２の関係を示した図で、代替頭部、代替胴部等の代替部材を透視させて人形体１を示した図である。
【００４８】
（実施形態３）
実施形態２では、人形体１の頭部２０、胴部１０、肢体３０、４０、５０、６０の全てに代替頭部２０’、代替胴部１０’、代替肢体３０’、４０’、５０’、６０’を取り付けるように構成したものである。しかし、これに限定されることはなく、たとえば人形体１の頭部２０には代替頭部２０’を取り付けない等の姿態で新たな人形体を構成するようにしてもよい。この場合、たとえば、代替頭部２０’を取り付けない場合において、頭部２０は胴部１０との間隔を長くすることなく短くした状態とすることもできる。
【００４９】
（実施形態４）
また、人形体１の頭部２０、胴部１０等に取り付ける代替頭部２０’、代替胴部１０’等は、種々の大きさあるいは形態の異なるものを用意しておき、それらを選択して用いるようにしてもよいことはもちろんである。
【００５０】
（実施形態５）
上述した実施形態では、いずれも人間の姿に似せた人形体について説明したものである。しかし、これに限定されることはなく、たとえば動物等の姿に似せた人形体にも適用できることはいうまでもない。
【００５１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５２】
１、２……人形体、
１０……胴部、
１０Ａ……胴部本体、
１０Ａ’……代替胴部本体、
１０ＡＨ……孔、
１０Ｂ……腰部、
１０Ｂ’……代替要部、
１０ＢＰ……棒体、
１０Ｐ……棒体、
１０Ｑ……凹部、
１１……円柱体、
１２……支軸、
２０……頭部、
２０Ｈ……孔、
３０……左側の腕部（肢体）、
３０Ａ……上腕部、
３０Ｂ……下腕部、
３０Ｃ……手部、
４０……右側の腕部（肢体）、
４０Ａ……上腕部、
４０Ｂ……下腕部、
４０Ｃ……手部、
４０ＡＰ……棒体、
４０ＡＨ……孔、
４１……円柱体、
４２……コ字状体、
４３……突起、
４４……孔、
５０……左側の脚部（肢体）、
５０Ａ……上腿部、
５０Ｂ……下腿部、
５０Ｃ……足部、
６０……右側の脚部（肢体）、
６０Ａ……上腿部、
６０Ｂ……下腿部、
６０Ｃ……足部、
７０……肩、
７０Ａ……球体、
７５……関節部、
７５Ａ……長孔板、
７５Ｈ……長孔、
７６……関節部、
７７……コ字状体、
７８……板体、
７９……軸体、
８０、８１……間隔調節部、
８５、８６、８７……長さ調節部、
９０、９１、９２、９３……軸体。
【図１】
2014161453.tif 000003
【図２】
2014161453.tif 000004
【図３】
2014161453.tif 000005
【図４】
2014161453.tif 000006
【図５】
2014161453.tif 000007
【図６】
2014161453.tif 000008
【図７】
2014161453.tif 000009
【図８】
2014161453.tif 000010
【図９】
2014161453.tif 000011
【図１０】
2014161453.tif 000012
【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
頭部と、胴部と、関節部を有する複数の肢体と、を有する人形体であって、
前記各肢体は、前記肢体の長さを調節する長さ調節部を有し、
前記胴部に対して回動可能に取り付けられた肩部材を有し、
前記肩部材は、前方側に凹となる曲部を有し、
前記肩部材の一端に連結された腕部を有し、
前記肩部材の他端に設けられた球体部が、前記胴部の背面寄りの位置に内包されることにより、前記肩部材は、前記肩部材を前方に回動したとき、前記胴部の側面を取り囲むことが可能である人形体。
【請求項２】
請求項１において、
前記関節部は、分割された一方の肢体と他方の肢体との分割部に形成され、前記一方の肢体に設けた軸体と、他方の肢体に形成され前記軸体が挿入される孔とで構成され、
前記長さ調節部は、前記関節部の前記孔を肢体の長手方向に延在させた長孔として形成することによって構成する人形体。
【請求項３】
請求項１において、
前記長さ調節部は、分割された一方の肢体と他方の肢体との分割部に形成され、
前記一方の肢体の端面に設けた棒体と、前記他方の肢体の端面に形成され前記棒体を挿入可能な開口部とを有する人形体。
【請求項４】
請求項１において、
前記胴部と前記頭部との間隔を調節できる間隔調節部を有し、
前記間隔調節部は、前記胴部と前記頭部のうちの一方に設けた棒体と、前記胴部と前記頭部のうちの他方に形成され前記棒体を挿入可能な開口部とを備える人形体。
【請求項５】
請求項１において、
前記胴部は、胴部本体と腰部とで構成され、
前記胴部本体と前記腰部との間隔を調節できる間隔調節部を有し、
前記間隔調節部は、前記胴部本体と前記腰部のうちの一方に設けた棒体と、前記胴部本体と前記腰部のうちの他方に形成され前記棒体を挿入可能な開口部とを備える人形体。
【請求項６】
請求項１において、
前記長さ調節部によって調節された前記肢体の長さに対応する代替肢体が前記肢体を被って取り付けられている人形体。
【請求項７】
請求項４において、
前記間隔調節部によって調節された前記胴部と前記頭部との間隔に対応する代替胴部および代替頭部の少なくとも一方が前記胴部あるいは前記頭部を被って取り付けられている人形体。
【請求項８】
請求項５において、
前記間隔調節部によって調節された前記胴部本体と前記腰部との間隔に対応する代替胴部本体および代替腰部の少なくとも一方が前記胴部本体あるいは前記腰部を被って取り付けられている人形体。
【手続補正２】
【補正対象書類名】明細書
【補正対象項目名】０００９
【補正方法】変更
【補正の内容】
【０００９】
本発明の人形体は、頭部と、胴部と、関節部を有する複数の肢体と、を有する人形体であって、前記各肢体は、前記肢体の長さを調節する長さ調節部を有し、前記胴部に対して回動可能に取り付けられた肩部材を有し、前記肩部材は、前方側に凹となる曲部を有し、前記肩部材の一端に連結された腕部を有し、前記肩部材の他端に設けられた球体部が、前記胴部の背面寄りの位置に内包されることにより、前記肩部材は、前記肩部材を前方に回動したとき、前記胴部の側面を取り囲むことが可能である。
【手続補正３】
【補正対象書類名】明細書
【補正対象項目名】００１３
【補正方法】削除
【補正の内容】